(57)【要約】      （修正有）【課題】バーベキュコンロに載せてバウムクーヘンを焼き上げることができる簡易なバウムクーヘン用調理具を提供する。【解決手段】バウムクーヘン用調理具１は、棒状体４０と、棒状体４０の長手方向の所定間隔を隔てた２箇所を支持する一対の支持台２０、２０とが備えられ、支持台２０、２０の上部には、棒状体４０の２箇所を回転可能に支持する複数の支持溝３１、３２、３３が形成され、複数の支持溝３１、３２、３３は上方が開放するとともに、溝深さがそれぞれ異なって形成されたことを特徴とする。【選択図】図１
0003228634.tif 000002
【実用新案登録請求の範囲】
【請求項１】
棒状体と、該棒状体の長手方向の所定間隔を隔てた２箇所を支持する一対の支持台とが備えられ、
上記支持台の上部には、上記棒状体の上記２箇所を回転可能に支持する複数の支持溝が形成され、
上記複数の支持溝は上方が開放するとともに、溝深さがそれぞれ異なって形成された
バウムクーヘン用調理具。
【請求項２】
溝深さが異なる前記支持溝のうち最も溝深さが浅い上記支持溝が、上記支持台の長手方向の中央付近に配置された
請求項１に記載のバウムクーヘン用調理具。
【請求項３】
上記棒状体は、焼き上げられるバウムクーヘン生地を積層する本体部と、該本体部の少なくとも一端に設けられた把持部とを備えた
請求項１又は２に記載のバウムクーヘン用調理具。
【請求項４】
上記把持部は上記本体部に対して小径に形成された
請求項３に記載のバウムクーヘン用調理具。
【請求項５】
上記支持台の上部には、上記棒状体を仮置き載置する仮置き部が設けられた
請求項１〜４の何れか一項に記載のバウムクーヘン用調理具。
【請求項６】
上記仮置き部は、上記支持台の幅方向端部に設けられた
請求項５に記載のバウムクーヘン用調理具。
【請求項７】
上記仮置き部は、上記支持台の上部における前記支持溝同士の間に設けられた
請求項５に記載のバウムクーヘン用調理具。
【請求項８】
上記支持台は、鉛直方向に延びる鉛直壁と、上記鉛直壁の上端から下方に向けて折返し形成されるとともに、その下方に向かって傾斜する傾斜壁とが備えられた
請求項５又は６に記載のバウムクーヘン用調理具。
【請求項９】
上記鉛直壁及び上記傾斜壁の下端に、当該下端から水平方向且つ離間する方向に延びる台座がそれぞれ形成された
請求項８に記載のバウムクーヘン用調理具。
【請求項１０】
上記支持台は上記台座を介してメッシュ部材の上部に設けられ、
該メッシュ部材は線材を組合わせて構成され、
上記台座の下面部には、上記線材に係止する係止舌片が切起こし形成された
請求項９に記載のバウムクーヘン用調理具。
【請求項１１】
上記台座のそれぞれに設けられた上記係止舌片は互い離間する方向に向けて突出する突出形状に形成された
請求項１０に記載のバウムクーヘン用調理具。
【考案の詳細な説明】
【技術分野】
【０００１】
この考案は、バウムクーヘンを野外で調理する際に用いられるバウムクーヘン用調理具に関する。
【背景技術】
【０００２】
一般に、バウムクーヘン（Ｂａｕｍｋｕｃｈｅｎ）を調理する装置としては、例えば、特許文献１に開示されたものがある。  
具体的には、特許文献１に記載の装置は、回転軸に一対の円板を取付け、これら一対の円板間において周方向の複数箇所に棒状体を横架するとともに、複数の棒状体にその外側から対向する複数の赤外線ヒータを設けている。さらに、円板の回転による棒状体の下降時に、当該棒状体の外周面にバウムクーヘンの生地を付着させる生地トレーを設け、生地が付着された棒状体を自転しながら公転させつつ、赤外線ヒータで生地を焼き上げるように構成している。
【０００３】
ところで、近年、バウムクーヘンを野外で調理してバーベキュを楽しむ場合がある。しかしながら、上記特許文献１に開示されたバウムクーヘン調理装置は、野外での調理には不向きであり、このため、簡易なバウムクーヘン用調理具が求められていた。
【先行技術文献】
【特許文献】
【０００４】
【特許文献１】特開２０２０―３６６６８号公報
【考案の概要】
【考案が解決しようとする課題】
【０００５】
そこで、この考案は、バーベキュコンロに載せてバウムクーヘンを焼き上げることができる簡易なバウムクーヘン用調理具の提供を目的とする。
【課題を解決するための手段】
【０００６】
この考案は、棒状体と、該棒状体の長手方向の所定間隔を隔てた２箇所を支持する一対の支持台とが備えられ、上記支持台の上部には、上記棒状体の上記２箇所を回転可能に支持する複数の支持溝が形成され、上記複数の支持溝は上方が開放するとともに、溝深さがそれぞれ異なって形成されたことを特徴とする。  
この考案により、上記棒状体と、上記一対の支持台とで、バーベキュコンロに載せてバウムクーヘンを焼き上げることができる簡易なバウムクーヘン用調理具を構成することができる。
【０００７】
また、上記棒状体は、その長手方向の所定間隔を隔てた２箇所が支持台にて支持されるため、安定して棒状体を回転させることができる。  
さらに、バウムクーヘンの焼き上げ途中の径の変化に対応して上記棒状体の支持高さを調整することができる。
【０００８】
詳しくは、焼き上げ途中のバウムクーヘンは、小径から順次大径に変化するが、このバウムクーヘンの径の大きさに対応して、溝深さが異なる支持溝を選定して使用することで、熱源からの距離調整を必要とすることなく、常に焼き上げに適した温度を確保することができる。
【０００９】
ちなみに、支持台に形成される複数の支持溝の溝深さが同一の場合には、バウムクーヘンが小径な焼き上げ初期においては、その表面が熱源から過度に遠くなり、バウムクーヘンが大径な焼き上げ終期においては、その表面が熱源に過度に近づくことになる。
【００１０】
この考案の態様として、溝深さが異なる前記支持溝のうち最も溝深さが浅い上記支持溝が、上記支持台の長手方向の中央付近に配置されてもよい。  
この考案により、焼き上げ終期の大径なバウムクーヘンであっても安定して焼き上げることができる。
【００１１】
詳述すると、溝深さが異なる前記支持溝のうち最も溝深さが浅い上記支持溝に、焼き上げ終期の大径なバウムクーヘンの棒状体を支持することになるが、大径なバウムクーヘンの重さも重くなる。重さが重いバウムクーヘンを支持する溝深さが浅い支持溝を支持台の長手方向の端部付近に配置すると、重量が偏り不安定な支持状態となる。これに対し、溝深さが異なる前記支持溝のうち最も溝深さが浅い上記支持溝を上記支持台の長手方向の中央付近に配置することで、重さが重いバウムクーヘンを安定して支持台で支持することができる。
【００１２】
この考案の態様として、上記棒状体は、焼き上げられるバウムクーヘン生地を積層する本体部と、該本体部の少なくとも一端に設けられた把持部とを備えてもよい。  
この考案により、上記把持部を把持して、上記本体部を回転操作することができる。
【００１３】
またこの考案の態様として、上記把持部は上記本体部に対して小径に形成されてもよい。  
この考案により、把持部が把持しやすくなり、回転操作性の向上を図ることができる。
【００１４】
またこの考案の態様として、上記支持台の上部には、上記棒状体を仮置き載置する仮置き部が設けられてもよい。  
この考案により、１つの棒状体を用いてバウムクーヘンを焼き上げている途中に、仮置きしたり、別の棒状体を上記仮置き部に載置して、次のバウムクーヘンの焼き上げに待機させたりすることができる。
【００１５】
またこの考案の態様として、上記仮置き部は、上記支持台の幅方向端部に設けられてもよい。  
この考案により、２本の棒状体を用いる場合において、仮置き部に仮置き載置した棒状体が、焼き上げ途中のバウムクーヘンと干渉したり、焼き上げ操作に干渉することを回避することができる。
【００１６】
またこの考案の態様として、上記仮置き部は、上記支持台の上部における前記支持溝同士の間に設けられてもよい。  
この考案により、棒状体の仮置き時における使い勝手の向上を図ることができる。
【００１７】
またこの考案の態様として、上記支持台は、鉛直方向に延びる鉛直壁と、上記鉛直壁の上端から下方に向けて折返し形成されるとともに、その下方に向かって傾斜する傾斜壁とが備えられてもよい。  
この考案により、支持台が、鉛直方向に延びる鉛直壁と傾斜壁とを備えているため、支持台それ自体の支持が安定する。
【００１８】
またこの考案の態様として、上記鉛直壁及び上記傾斜壁の下端に、当該下端から水平方向且つ離間する方向に延びる台座がそれぞれ形成されてもよい。  
この考案により、台座により支持台の支持がさらに安定する。
【００１９】
またこの考案の態様として、上記支持台は上記台座を介してメッシュ部材の上部に設けられ、該メッシュ部材は線材を組合わせて構成され、上記台座の下面部には、上記線材に係止する係止舌片が切起こし形成されてもよい。
【００２０】
この考案により、係止舌片を線材に係止することで、各台座がメッシュ部材に固定されるため、支持台を上記メッシュ部材の上部に安定して固定することができる。また、切起こし形成により上記係止舌片を形成したため、部品点数の増加を招かない。
【００２１】
またこの考案の態様として、上記台座のそれぞれに設けられた上記係止舌片は互い離間する方向に向けて突出する突出形状に形成されてもよい。  
この考案により、上記傾斜壁は上記鉛直壁の上端から下方に向けて折返し形成されているため、これら各壁の下端側が互いに近接する方向に把持すると、これら各壁には反発力が作用する。これにより、上記各壁の下端側を互いに近接させた状態で、各台座の係止舌片をメッシュ部材の網目に位置させた後に、把持力を解除すると、上記反発力により各係止舌片がメッシュ部材の線材に係止されるため、支持台のメッシュ部材に対する装着を簡単に行なうことができる。  
また、上記反発力により係止舌片がメッシュ部材の線材に係止されるため、支持台の支持強度向上を図ることができる。
【考案の効果】
【００２２】
この考案によれば、バーベキュコンロに載せてバウムクーヘンを焼き上げることができる簡易なバウムクーヘン用調理具を提供することができる。
【図面の簡単な説明】
【００２３】
【図１】実施形態におけるバウムクーヘン用調理具の使用状態を示す斜視図
【図２】一方の支持台を示す拡大斜視図
【図３】図１の要部平面図
【図４】図３のＡ−Ａ線矢視断面図
【図５】図４の部分拡大図
【図６】図３のＢ−Ｂ線矢視図
【図７】実施形態におけるバウムクーヘン用調理具の使用状態を示す斜視図
【図８】バウムクーヘン用調理具の他の実施形態を示す説明図
【考案を実施するための形態】
【００２４】
この考案の一実施形態を以下図面とともに説明する。  
図面はバウムクーヘン用調理具１を示し、図１，７は当該バウムクーヘン用調理具１の使用状態を示す斜視図、図２は一対の支持台２０，２０のうちの一方の支持台２０を示す拡大斜視図である。
【００２５】
また、図３は図１の要部平面図、図４は図３のＡ−Ａ線矢視断面図、図５は図４の部分拡大図、図６は図３のＢ−Ｂ線矢視図である。なお、図４、図５では、図示の便宜上、線材１１の一部のみを示している。
【００２６】
図１に示すように、バウムクーヘン用調理具１は、バーベキュコンロ（図示せず）に上載されたメッシュ部材１０に対して固定される一対の支持台２０，２０と、これら一対の支持台２０，２０に支持される棒状体４０とを備えている。
【００２７】
上述の一対の支持台２０，２０は、メッシュ部材１０の上部に所定間隔を隔てて平行に固定され、上述の棒状体４０は、互いに平行に配置された一対の支持台２０，２０間に、これら各支持台２０，２０と直交するように配設される。また、上述の一対の支持台２０，２０は上記棒状体４０を下方から支持する。  
上述のメッシュ部材１０は縦方向に延びる線材１１と、横方向に延びる線材１２とを格子状に組合せて、各線材１１，１２間に平面視方形状の複数の網目１３が形成された所謂焼き網である。
【００２８】
上述の各棒状体４０は、焼き上げられるバウムクーヘン生地を積層する円柱状の本体部４１と、この本体部４１の一端に、当該本体部４１の軸芯線と同一軸芯線上に延びるよう一体形成された把持部４２とを備えている。
【００２９】
上述の把持部４２は本体部４１の直径に対して小径の円柱形状に形成されている。上記把持部４２を形成することで、該把持部４２を把持して上記本体部４１を回転操作することができ、また、把持部４２を本体部４１に対して小径に形成することで、回転操作性の向上を図ることができる。ここで、該把持部４２と上記本体部４１とが一体形成された棒状体４０は木材により構成されている。  
棒状体４０を木製とすることで、棒状体４０の軽量化を図ることができるが、これら棒状体４０は他の材料を用いて形成してもよい。
【００３０】
図１に示すように、上述の一対の支持台２０，２０は、棒状体４０の長手方向の所定間隔を隔てた２箇所を支持するものである。詳しくは、上記一対の支持台２０，２０は、棒状体４０における本体部４１の一端部または一端近傍部と把持部４２とを支持するものであり、上記把持部４２は一対の支持台２０，２０の何れか一方、図示実施形態では、支持台２０の後述する傾斜壁２３よりも外方に突出される。一対の支持台２０，２０で、棒状体４０の長手方向の所定間隔を隔てた２箇所を支持することで、棒状体４０を安定して回転させることができる。
【００３１】
これら一対の支持台２０，２０は、ステンレス鋼等の金属板を打抜き加工、およびプレス成型することにより形成されるとともに、一方の支持台２０と他方の支持台２０とは同じ形状且つ構造で形成されている。
【００３２】
上記支持台２０，２０は、図２に拡大斜視図で示すように、鉛直方向に延びる鉛直壁２１と、この鉛直壁２１の上端に形成した折返し部２２と、上述の鉛直壁２１の上端に折返し部２２を介して下方に向けて折返し形成された傾斜壁２３とを備えている。
【００３３】
上述の傾斜壁２３は、下方に向かって鉛直壁２１から遠ざかるように傾斜する一方で、上記鉛直壁２１は鉛直方向に延びている。この鉛直方向に延びる鉛直壁２１と傾斜方向に延びる上述の傾斜壁２３とで、支持台２０，２０をメッシュ部材１０に固定した際、直角三角形の枠形状部が形成され、これら各要素２１，２３，１０によりトラス構造が形成される。
【００３４】
図１、図４に示すように、一対の支持台２０，２０をメッシュ部材１０に支持させた時、当該支持台２０，２０が、鉛直方向に延びる上記鉛直壁２１と傾斜壁２３とを備えていることで、支持台２０，２０それ自体の支持安定化を図るように構成したものである。
【００３５】
さらに、この実施形態では、支持台２０，２０のコンパクト化と、支持安定性との両立を図る目的で、上記鉛直壁２１と傾斜壁２３との成す角度を約１５度に設定しているが、この角度は１０度〜２０度の範囲内であってもよい。
【００３６】
図２に示すように、一対の支持台２０，２０における上記鉛直壁２１の下端２１ａ及び傾斜壁２３の下端２３ａには、互いに離間する方向に延びる台座２４，２５が水平方向に延びて一体形成されている。  
台座２４，２５はそれぞれ幅方向の両端部に設けられている。
【００３７】
上述の第１台座２４および第２台座２５を設けることで、これら各台座２４，２５がメッシュ部材１０の上部に当接され、これにより一対の支持台２０，２０のさらなる支持安定化を図るように構成している。  
図１に示すように、上記一対の支持台２０，２０は、上述の第１台座２４および上述の第２台座２５を介して縦方向に延びる線材１１と平行になるようにメッシュ部材１０の上部に設けられている。
【００３８】
図１、図４に示すように、一対の支持台２０，２０同士の離間距離は、棒状体４０の本体部４１における両端部間、または、両端近傍部間の長さに対応し、この離間距離にて一対の支持台２０，２０がメッシュ部材１０の上部に設けられる。
【００３９】
図２〜図５に示すように、上記支持台２０，２０における第１台座２４の下面部には、メッシュ部材１０の縦方向に延びる線材１１に係止する側面視Ｌ字状の第１係止舌片２６が切起こし形成されている。
【００４０】
同様に、図２〜図５に示すように、上記支持台２０，２０における第２台座２５の下面部には、メッシュ部材１０の縦方向に延びる線材１１に係止する側面視Ｌ字状の第２係止舌片２７が切起こし形成されている。  
図２に示すように、第１係止舌片２６および第２係止舌片２７は、上述の第１台座２４および第２台座２５の平面視中央付近にそれぞれ形成されている。
【００４１】
上述の第１係止舌片２６および第２係止舌片２７を、メッシュ部材１０の線材１１に係止すると、第１台座２４および第２台座２５がメッシュ部材１０に固定され、これにより、一対の支持台２０，２０をメッシュ部材１０の上部に安定して固定するように構成している。
【００４２】
また、切起こし形成により上述の第１係止舌片２６、第２係止舌片２７を形成することにより、部品点数の増加を招かないように構成している。  
図５に示すように、上述の第１台座２４における第１係止舌片２６と、第２台座２５における第２係止舌片２７とは、互いに離間する方向に突出する突出形状に形成されている。
【００４３】
上述の支持台２０，２０において、鉛直壁２１の下端側と傾斜壁２３の下端側とが互いに近接する方向に把持すると、これら鉛直壁２１及び傾斜壁２３には反発力が作用する。  
このため、上記鉛直壁２１及び傾斜壁２３の下端側を互いに近接させた状態で、第１台座２４の第１係止舌片２６と、第２台座２５の第２係止舌片２７とをメッシュ部材１０の網目１３内に位置させた後、把持力を解除すると、上記反発力により第１係止舌片２６及び第２係止舌片２７がメッシュ部材１０の線材１１に係止される。
【００４４】
これにより、各支持台２０，２０のメッシュ部材１０に対する装着を簡単に行なうように構成したものである。  
また、上記反発力により第１係止舌片２６及び第２係止舌片２７がメッシュ部材１０の線材１１に係止されることで、一対の支持台２０，２０の支持強度の向上を図るように構成している。
【００４５】
図４に示すように、上記一対の支持台２０，２０は、棒状体４０の長手方向の所定間隔を隔てた２箇所を支持するもので、これら一対の支持台２０，２０の上部には、棒状体４０の上記２箇所を回転可能に支持する第１、第２、第３の複数（この実施形態では３つ）の支持溝３１，３２，３３が形成されている。これらの各支持溝３１，３２，３３は、上述の第１台座２４および第２台座２５に対して上方に位置する。
【００４６】
図６に示すように、上述の複数の支持溝３１，３２，３３は支持台２０，２０の長手方向（幅方向）に所定間隔を隔てて形成されている。  
図２に示すように、第１支持溝３１は、折返し部２２から鉛直壁２１の上部にかけて切欠き形成されたＵ字状の溝部３１ａと、折返し部２２から傾斜壁２３の上部にかけて切欠き形成されたＵ字状の溝部３１ｂとを備え、内外の溝部３１ａ，３１ｂの溝深さが一致するように形成されている。
【００４７】
また、第２支持溝３２は、折返し部２２から鉛直壁２１の上部にかけて切欠き形成されたＵ字状の溝部３２ａと、折返し部２２から傾斜壁２３の上部にかけて切欠き形成されたＵ字状の溝部３２ｂとを備え、内外の溝部３２ａ，３２ｂの溝深さが一致するように形成されている。
【００４８】
さらに、第３支持溝３３は、折返し部２２から鉛直壁２１の上部にかけて切欠き形成されたＵ字状の溝部３３ａと、折返し部２２から傾斜壁２３の上部にかけて切欠き形成されたＵ字状の溝部３３ｂとを備え、内外の溝部３３ａ，３３ｂの溝深さが一致するように形成されている。
【００４９】
上記複数の支持溝、すなわち、第１支持溝３１、第２支持溝３２および第３支持溝３３は、それぞれ上方が開放するとともに、溝深さがそれぞれ異なって形成されている。  
具体的には、図６に示すように、第１支持溝３１の溝深さが最大で、第２支持溝３２の溝深さが最小で、第３支持溝３３の溝深さは、第１支持溝３１の溝深さと、第２支持溝３２の溝深さとの中間深さになるように形成されている。
【００５０】
すなわち、図６に示すように、第１支持溝３１の溝深さをｄ１、第２支持溝３２の溝深さをｄ２、第３支持溝３３の溝深さをｄ３とするとき、ｄ１＞ｄ３＞ｄ２の関係式が成立するように形成されている。
【００５１】
換言すれば、図２に示すように、第１支持溝３１による棒状体４０の支持高さｈ１が最も低く、第２支持溝３２による棒状体４０の支持高さｈ２が最も高く、第３支持溝３３による棒状体４０の支持高さｈ３は、第１支持溝３１による棒状体４０の支持高さｈ１と、第２支持溝３２による棒状体４０の支持高さｈ２との中間高さになるように形成されている。すなわち、ｈ１＜ｈ３＜ｈ２の関係式が成立するように形成されている。
【００５２】
また、上記各支持溝３１，３２，３３の溝幅ｗ（図６参照）は、棒状体４０の着脱および回転を許容する寸法に設定されている。  
バウムクーヘンＢａを調理する場合、バーベキュコンロ（図示せず）に上載されたメッシュ部材１０に対して一対の支持台２０，２０を固定し、これら一対の支持台２０，２０における第１支持溝３１，３１間に棒状体４０の本体部４１を回転可能に支持させる。
【００５３】
この状態で、棒状体４０の本体部４１の表面にバウムクーヘン生地（具体的には、ホットケーキミックス、牛乳、卵、砂糖、蜂蜜、バター、バニラオイルなどをそれぞれ適量ずつ混ぜ合わせた生地）を上方から垂らしながら、把持部４２を把持して、棒状体４０を回転させつつ、バーベキュコンロからの熱（詳しくはバーベキュコンロ内の炭化の熱）により本体部４１に付着したバウムクーヘン生地を焼き上げる。
【００５４】
このとき、長手方向（幅方向）に所定間隔を隔てて第１台座２４，第２台座２５を設けているため、バーベキュコンロからの熱が第１台座２４，第２台座２５によって遮られる量を低減でき、より効率よく焼き上げることができる。
【００５５】
また、本体部４１に対し、焼き上げられたバウムクーヘンの生地層が形成された後においては、この生地層表面に対して、さらにバウムクーヘン生地を上方から垂らしながら、棒状体４０を回転させることで、バーベキュコンロからの熱によりバウムクーヘン生地が順次焼き上げられる。
【００５６】
焼き上げ途中のバウムクーヘンＢａは、図６に示すように、小径から順次大径に変化する。  
図６に示すように、バウムクーヘンＢａの径が同図の小径αに達するまでは、溝深さがｄ１である第１支持溝３１を用いて焼き上げ、バウムクーヘンＢａの径が小径αに達すると、棒状体４０を第３支持溝３３に移動して、溝深さがｄ３である第３支持溝３３を用いて焼き上げる。
【００５７】
バウムクーヘンＢａの径が中径βに達すると、棒状体４０を第２支持溝３２に移動して、溝深さがｄ２である第２支持溝３２を用いて、バウムクーヘンＢａの径が大径γに達するまで焼き上げる。  
これにより、バウムクーヘンＢａの焼き上げ途中の径の変化に対応して、上述の棒状体４０の支持高さｈ１，ｈ２，ｈ３（図２参照）を調整するように構成している。
【００５８】
詳しくは、焼き上げ途中のバウムクーヘンＢａは、小径αから順次大径γに変化するが、このバウムクーヘンＢａの径の大きさに対応して、溝深さｄ１，ｄ２，ｄ３が異なる支持溝３１，３２，３３を選定して使用することにより、熱源としてのバーベキュコンロからの距離調整を必要とすることなく、常に焼き上げに適した温度を確保するように構成したものである。
【００５９】
ちなみに、支持台２０，２０に形成される複数の支持溝の溝深さが同一の場合には、バウムクーヘンＢａが小径な焼き上げ初期においては、その表面が熱源から過度に遠くなり、バウムクーヘンＢａが大径な焼き上げ終期においては、その表面が熱源に対して過度に近づくことになり、好ましくない。
【００６０】
なお、焼き上げ終期において大径となり重いバウムクーヘンＢａを支持する第２支持溝３２は、溝深さｄ２が最も浅いため、重心が高い不安定な支持状態になりやすい。これに対して、支持台２０における幅方向（長手方向）の中央付近に配置しているため、重量が偏ることなく、安定して支持することができる。
【００６１】
図１〜図３、図６に示すように、一対の支持台２０，２０の上部には、棒状体４０を仮置き載置する仮置き部３５が設けられている。  
同図に示すように、該仮置き部３５は、支持台２０，２０の上端の折返し部２２と、鉛直壁２１の上端部と、傾斜壁２３の上端部とを切欠いて形成したＶ字状凹部にて構成している。Ｖ字状凹部の開放端相互間の長さは、棒状体４０における本体部４１の直径の約２／３に設定されている。
【００６２】
上記仮置き部３５を設けることで、バウムクーヘンＢａを焼き上げている途中の棒状体４０を、上記仮置き部３５に載置して待機させるように構成している。  
ここで、上記仮置き部３５は、支持台２０，２０の上部において幅方向（長手方向）の端部と、支持溝３１，３２，３３同士の間とに設けられており、仮置き部３５に仮置き載置した棒状体４０が、焼き上げ途中のバウムクーヘンＢａと干渉したり、焼き上げ操作に干渉することを回避すべく構成している。  
さらに、上記仮置き部３５は、支持台２０，２０の幅方向（長手方向）の両端部にそれぞれ設けられており、棒状体４０の仮置き時における使い勝手の向上を図るように構成している。
【００６３】
このようなバウムクーヘン用調理具の作用、効果について詳述すると、棒状体４０と、該棒状体４０の長手方向の所定間隔を隔てた２箇所を支持する一対の支持台２０，２０とが備えられ、上記支持台２０，２０の上部には、上記棒状体４０の上記２箇所を回転可能に支持する複数の支持溝３１，３２，３３が形成され、上記複数の支持溝３１，３２，３３は上方が開放するとともに、溝深さｄ１，ｄ２，ｄ３がそれぞれ異なって形成されているため、上記棒状体４０と、上記一対の支持台２０，２０とで、バーベキュコンロに載せてバウムクーヘンＢａを焼き上げることができる簡易なバウムクーヘン用調理具１を構成することができる。
【００６４】
また、棒状体４０は、その長手方向の所定間隔を隔てた２箇所が支持されるため、安定して棒状体４０を回転させることができる。  
さらに、バウムクーヘンＢａの焼き上げ途中の径の変化に対応して上記棒状体４０の支持高さｈ１，ｈ２，ｈ３を調整することができる。
【００６５】
詳しくは、焼き上げ途中のバウムクーヘンＢａは、小径αから順次大径γに変化するが、このバウムクーヘンＢａの径の大きさに対応して、溝深さｄ１，ｄ２，ｄ３が異なる支持溝３１，３２，３３を選定して使用することで、熱源からの距離調整を必要とすることなく、常に焼き上げに適した温度を確保することができる。
【００６６】
ちなみに、支持台に形成される複数の支持溝の溝深さが同一の場合には、バウムクーヘンＢａが小径な焼き上げ初期においては、その表面が熱源から過度に遠くなり、バウムクーヘンＢａが大径な焼き上げ終期においては、その表面が熱源に過度に近づくことになる。
【００６７】
また、上記棒状体４０は、焼き上げられるバウムクーヘン生地を積層する本体部４１と、該本体部４１の少なくとも一端に設けられた把持部４２とを備えたことにより、上記把持部４２を把持して、上記本体部４１を回転操作することができる。  
さらに、上記把持部４２は上記本体部４１に対して小径に形成されたことにより、把持部４２が把持しやすくなり、回転操作性の向上を図ることができる。
【００６８】
さらにまた、上記支持台２０，２０の上部には、上記棒状体４０を仮置き載置する仮置き部３５が設けられたことにより、棒状体４０を用いてバウムクーヘンＢａを焼き上げている途中に、棒状体４０を上記仮置き部３５に載置して待機させることができる。
【００６９】
加えて、上記仮置き部３５は、上記支持台２０，２０の幅方向（長手方向）端部及び支持溝３１，３２，３３同士の間に設けられたことにより、仮置き部３５に仮置き載置した棒状体４０の使い勝手の向上を図ることができる。
【００７０】
さらに、上記支持台２０，２０は、鉛直方向に延びる鉛直壁２１と、上記鉛直壁２１の上端から下方に向けて折返し形成されるとともに、その下方に向かって傾斜する傾斜壁２３とを備えているため、支持台２０，２０自体の支持が安定する。
【００７１】
さらにまた、上記鉛直壁２１及び上記傾斜壁２３の下端２１ａ，２３ａに、当該下端２１ａ，２３ａから水平方向且つ離間する方向に延びる第１台座２４及び第２台座２５が一体形成されているため、
【００７２】
このため、第１台座２４及び第２台座２５により支持台２０，２０の支持がさらに安定する。  
加えて、上記支持台２０，２０は上記第１台座２４および上記第２台座２５を介してメッシュ部材１０の上部に設けられ、該メッシュ部材１０は線材１１，１２を組合わせて構成され、上記第１台座２４および第２台座２５の下面部には、上記線材１１に係止する第１係止舌片２６、第２係止舌片２７が切起こし形成されている。
【００７３】
これにより、係止舌片２６，２７を線材１１に係止することで、各台座２４，２５がメッシュ部材１０に固定されるため、支持台２０，２０を上記メッシュ部材１０上部に安定して固定することができる。また、切起こし形成により上記係止舌片２６，２７を形成したため、部品点数の増加を招かない。
【００７４】
また、上記第１台座２４の第１係止舌片２６と上記第２台座２５の上記第２係止舌片２７とは互い離間する方向に向けて突出する突出形状に形成されている。  
上述のように、上記傾斜壁２３は上記鉛直壁２１の上端から下方に向けて折返し形成されているため、これら鉛直壁２１及び傾斜壁２３の下端側が互いに近接する方向に把持すると、これら鉛直壁２１及び傾斜壁２３には反発力が作用する。
【００７５】
これにより、上記鉛直壁２１及び傾斜壁２３の下端側を互いに近接させた状態で、第１台座２４の係止舌片２６と第２台座２５の係止舌片２７とをメッシュ部材１０の網目１３に位置させた後に、把持力を解除すると、上記反発力により第１係止舌片２６及び第２係止舌片２７がメッシュ部材１０の線材１１に係止されるため、支持台２０，２０のメッシュ部材１０に対する装着を簡単に行なうことができる。  
また、上記反発力により係止舌片２６，２７がメッシュ部材１０の線材１１に係止されるため、支持台２０，２０の支持強度向上を図ることができる。
【００７６】
なお、上述の説明では、１本の棒状体４０を用いてバウムクーヘンＢａを焼き上げているが、２本の棒状体４０を用いてもよい。この場合、両方を焼き上げてもよいが、一方の棒状体４０を用いてバウムクーヘンＢａ（図７参照）を焼き上げている途中に、別の棒状体４０を次のバウムクーヘンＢａの焼き上げ用として待機（いわゆるスタンバイ）させておくことができる。
【００７７】
具体的には、図７に示すように、１つの棒状体４０を用いてバウムクーヘンＢａを焼き上げている途中に、別の棒状体４０Ｂを上記仮置き部３５に載置して、次のバウムクーヘンＢａの焼き上げに待機させることができる。
【００７８】
なお、上記仮置き部３５は、上記支持台２０，２０の幅方向（長手方向）端部及び支持溝３１，３２，３３同士の間に設けられたことにより、仮置き部３５に仮置き載置した棒状体４０Ｂが、焼き上げ途中のバウムクーヘンＢａと干渉したり、焼き上げ操作に干渉することを回避することができる。  
［他の実施形態］
【００７９】
図８はバウムクーヘン用調理具の他の実施形態を示す説明図である。  
図８に示すように、この実施形態においては、棒状体４０における本体部４１の一端に、当該本体部４１の外径よりもその外径が小径となる把持部４２を一体形成するとともに、本体部４１の他端には把持部４２と略同一外径の小径部４３を一体形成している。
【００８０】
上述の把持部４２の基部外周、並びに、上述の小径部４３の外周には、それぞれ軸受部材４４，４５を装着している。  
一方の軸受部材４４は、その内径が把持部４２の外径と対応し、当該軸受部材４４の外径が本体部４１の外径と一致するように形成されている。  
他方の軸受部材４５は、その内径が小径部４３の外径と対応し、当該軸受部材４５の外径が本体部４１の外径と一致するように形成されている。
【００８１】
上述の一対の支持台２０，２０の支持溝３１，３２または３３に上記各軸受部材４５，４４を介して棒状体４０を横架することで、棒状体４０の回転時における摩擦抵抗の低減を図ることができる。
【００８２】
図８で示した実施形態においても、その他の構成、作用、効果については、図１〜図６を参照して説明した先の実施形態と同様であるから、図８において、前図と同一の部分には、同一符号を付して、その詳しい説明を省略する。
【００８３】
この考案の構成と、上述の実施形態との対応において、  
この考案のバウムクーヘン用調理具は、上述の実施形態のバウムクーヘン用調理具１に対応し、  
以下同様に、  
メッシュ部材は、メッシュ部材１０に対応し、  
線材は、線材１１，１２に対応し、  
支持台は、支持台２０，２０に対応し、  
鉛直壁は、鉛直壁２１に対応し、  
傾斜壁は、傾斜壁２３に対応し、  
台座は、第１台座２４及び第２台座２５に対応し、  
係止舌片は、第１係止舌片２６、第２係止舌片２７に対応し、  
支持溝は、第１支持溝３１、第２支持溝３２、第３支持溝３３に対応し、  
仮置き部は、仮置き部３５に対応し、  
棒状体は、棒状体４０に対応し、  
本体部は、本体部４１に対応し、  
把持部は、把持部４２に対応するも、  
この考案は、上述の実施態様の構成のみに限定されるものではなく、多くの実施の形態を得ることができる。
【００８４】
例えば、支持台２０，２０に形成される支持溝３１，３２，３３の形成数量は３つに限定されることなく、２つ、または４つ以上であってもよく、支持溝３１，３２，３３の形状はＵ字形状の溝に代えて、底部に円弧部を有さない凹形状であってもよい。
【００８５】
また、仮置き部３５をＶ字状凹部にて形成したが、これは矩形状の凹部や円弧状に凹む凹部であってもよい。  
さらに、棒状体４０は、本体部４１の両端に把持部４２，４２がそれぞれ設けられた構成を採用してもよい。
【符号の説明】
【００８６】
１…バウムクーヘン用調理具
１０…メッシュ部材
１１，１２…線材
２０，２０…支持台
２１…鉛直壁
２３…傾斜壁
２４…第１台座
２５…第２台座
２６…第１係止舌片
２７…第２係止舌片
３１…第１支持溝
３２…第２支持溝
３３…第３支持溝
３５…仮置き部
４０…棒状体
４１…本体部
４２…把持部
【図１】
0003228634.tif 000003
【図２】
0003228634.tif 000004
【図３】
0003228634.tif 000005
【図４】
0003228634.tif 000006
【図５】
0003228634.tif 000007
【図６】
0003228634.tif 000008
【図７】
0003228634.tif 000009
【図８】
0003228634.tif 000010